(57)【要約】  【課題】  蓋（外箱）と底箱と緩衝材とを１部品とすることにより、生産時の工程数を削減し、歩留まりを向上させ、コストを削減できる梱包部材を提供することである。  【解決手段】  支持緩衝部１７，１８、側面部１３、側面部１２、上面部１５，１６、側面部１４をそれぞれ谷折りし、側面部１４を側面部１３の外側に重ね、突片１９ａ〜１９ｄを谷折りする。これによって、底箱と緩衝材になる部分が組み立てられる。そして底面部２６、側面部２７、上面部２８、側面部２９、フラップ３４〜３７、側面部３０，３２、フラップ３１，３３をそれぞれ谷折りする。これによって、外箱になる部分が組み立てられる。【選択図】      図２
2006321536.tif 000002
【特許請求の範囲】
【請求項１】
板状の材料を折り曲げて組み立てられてなる四角柱状の本体部を有する梱包部材であって、
長方形状の第１底面部と、第１底面部の長辺側に折り部を介して接続された第１側面部と、第１底面部の第１側面部とは反対側の長辺に折り部を介して接続された、第１底面部よりも長手方向に短い第２側面部と、第１側面部の第１底面部とは反対側の長辺に折り部を介して接続されるとともに、第１側面部の長手方向に離隔対向した第１上面部と第２上面部と、第１上面部の第１側面部とは反対側の辺に折り部を介して接続されるとともに、第２上面部の第１側面部とは反対側の辺に折り部を介して接続された第３側面部と、第２側面部の両短辺側に折り部を介して接続された、被梱包物を支持する切り欠きを有した第１支持緩衝部と第２支持緩衝部と、第３側面部の第１及び第２上面部とは反対側の長辺に折り部を介して接続された第２底面部と、第２底面部の第３側面部とは反対側の長辺に折り部を介して接続された第４側面部と、第４側面部の第２底面部とは反対側の長辺に折り部を介して接続された第３上面部と、第３上面部の第４側面部とは反対側の長辺に折り部を介して接続された第５側面部とを備え、
全ての前記折り部を谷折りして四角柱状に組み立てられた本体部は、第３側面部が第２側面部の外側に重なり、折り曲げられた状態の第１支持緩衝部を第１上面部が維持し、折り曲げられた状態の第２支持緩衝部を第２上面部が維持し、第２底面部が第１底面部の外側に重なり、第４側面部が第１側面部の外側に重なり、第３上面部が第１及び第２上面部の外側に重なり、第５側面部が第３側面部の外側に重なることを特徴とする梱包部材。
【請求項２】
第１側面部の両短辺側及び第３側面部の両短辺側に折り部を介して突片が形成され、該突片を折り曲げることによって被梱包物の端部を受け止めることを特徴とする請求項１記載の梱包部材。
【請求項３】
第１底面部の両短辺側に折り部を介して接続された第６側面部と第７側面部と、第６側面部の第１底面部とは反対側の辺に折り部を介して接続された第４上面部と、第７側面部の第１底面部とは反対側の辺に折り部を介して接続された第５上面部と、第４上面部の第６側面部とは反対側の辺に折り部を介して接続された、切り欠きを有した第１フラップと、第５上面部の第７側面部とは反対側の辺に折り部を介して接続された、切り欠きを有した第２フラップとを備え、
全ての前記折り部を谷折りして四角柱状に組み立てられた本体部は、第１フラップが第１上面部と第１支持緩衝部との間に挿入され、第１フラップの切り欠きと第１支持緩衝部の切り欠きとが重なった状態に維持され、第２フラップが第２上面部と第２支持緩衝部との間に挿入され、第２フラップの切り欠きと第２支持緩衝部の切り欠きとが重なった状態に維持されることを特徴とする請求項１又は２記載の梱包部材。
【請求項４】
第４上面部の折り部のない両辺と第５上面部の折り部のない両辺とに切り欠きが形成されることを特徴とする請求項３記載の梱包部材。
【請求項５】
第２底面部の一方の短辺側に折り部を介して接続された第８側面部と、第８側面部の第２底面部とは反対側の辺に折り部を介して接続された第３フラップと、第３上面部の第８側面部とは反対側の短辺に折り部を介して接続された第９側面部と、第９側面部の第３上面部とは反対側の辺に折り部を介して接続された第４フラップと、第４側面部の両短辺側及び第５側面部の両短辺側に折り部を介して接続された第５〜第８フラップとを備え、
全ての前記折り部を谷折りして四角柱状に組み立てられた本体部は、第３フラップが第３上面部の内側に挿入され、第４フラップが第２底面部の内側に挿入されることを特徴とする請求項１〜４の何れかに記載の梱包部材。
【請求項６】
第２底面部の第８側面部とは反対側の短辺及び第３上面部の第９側面部とは反対側の短辺に切り欠きが形成されることを特徴とする請求項５記載の梱包部材。
【発明の詳細な説明】
【技術分野】
【０００１】
本発明は梱包部材に関し、より詳細には複写機の帯電器やローラなどの細長い部品を主に梱包する梱包部材に関するものである。
【背景技術】
【０００２】
各種製品や部品を輸送する場合、段ボールを用いた梱包部材がこれまでから広く用いられている。例えば複写機の帯電器やローラなどの細長い部品を梱包する梱包部材としては、通常、Ｃ式ケースが用いられている。このＣ式ケースは、蓋と底箱と左右緩衝材との４部品からなり、ケース内に収容された被梱包物は、その両側部が緩衝材によって位置規制され、輸送中のズレやガタツキが抑えられる。
【０００３】
また特許文献１には、被梱包物の左右部にそれぞれ緩衝材を装着し、これら全体を結束する外箱に内設した包装装置において、上記緩衝材をＣ式ケースと、このＣ式ケース内壁と折曲にて重合される十字形緩衝材とより形成したことより、緩衝材が全て紙製段ボール材にて形成されるとともに、上下方向が三重構造、他が二重構造となる包装装置が開示されている。
【０００４】
このように特許文献１では、緩衝材として段ボールを用いていることにより、緩衝材を１部品で構成しているので、梱包部材全体は蓋と底箱と緩衝材との３部品で構成されることになる。
【特許文献１】特開平５−４８９４６号公報
【発明の開示】
【発明が解決しようとする課題】
【０００５】
しかしながら、特許文献１ではなおも３部品で構成されているため、生産時の工程数が多く、部材毎に歩留まりが発生する。従って、コストが上昇する。また、梱包部材を組み立てた後、被梱包物を梱包するまで蓋と底箱と緩衝材とがバラバラになるので、管理がしにくいという問題もある。
【０００６】
本発明は、蓋（外箱）と底箱と緩衝材とを１部品とすることにより、生産時の工程数を削減し、歩留まりを向上させ、コストを削減できる梱包部材を提供することを目的とする。
【課題を解決するための手段】
【０００７】
上記目的を達成するために本発明は、板状の材料を折り曲げて組み立てられてなる四角柱状の本体部を有する梱包部材であって、長方形状の第１底面部と、第１底面部の長辺側に折り部を介して接続された第１側面部と、第１底面部の第１側面部とは反対側の長辺に折り部を介して接続された、第１底面部よりも長手方向に短い第２側面部と、第１側面部の第１底面部とは反対側の長辺に折り部を介して接続されるとともに、第１側面部の長手方向に離隔対向した第１上面部と第２上面部と、第１上面部の第１側面部とは反対側の辺に折り部を介して接続されるとともに、第２上面部の第１側面部とは反対側の辺に折り部を介して接続された第３側面部と、第２側面部の両短辺側に折り部を介して接続された、被梱包物を支持する切り欠きを有した第１支持緩衝部と第２支持緩衝部と、第３側面部の第１及び第２上面部とは反対側の長辺に折り部を介して接続された第２底面部と、第２底面部の第３側面部とは反対側の長辺に折り部を介して接続された第４側面部と、第４側面部の第２底面部とは反対側の長辺に折り部を介して接続された第３上面部と、第３上面部の第４側面部とは反対側の長辺に折り部を介して接続された第５側面部とを備え、全ての前記折り部を谷折りして四角柱状に組み立てられた本体部は、第３側面部が第２側面部の外側に重なり、折り曲げられた状態の第１支持緩衝部を第１上面部が維持し、折り曲げられた状態の第２支持緩衝部を第２上面部が維持し、第２底面部が第１底面部の外側に重なり、第４側面部が第１側面部の外側に重なり、第３上面部が第１及び第２上面部の外側に重なり、第５側面部が第３側面部の外側に重なることを特徴とするものである。
【０００８】
ここで、被梱包物を安定して収容する観点からは、第１側面部の両短辺側及び第３側面部の両短辺側に折り部を介して突片を形成し、該突片を折り曲げることによって被梱包物の端部を受け止めるようにするのが好ましい。
【０００９】
また、被梱包物を更に安定して収容する観点からは、第１底面部の両短辺側に折り部を介して接続された第６側面部と第７側面部と、第６側面部の第１底面部とは反対側の辺に折り部を介して接続された第４上面部と、第７側面部の第１底面部とは反対側の辺に折り部を介して接続された第５上面部と、第４上面部の第６側面部とは反対側の辺に折り部を介して接続された、切り欠きを有した第１フラップと、第５上面部の第７側面部とは反対側の辺に折り部を介して接続された、切り欠きを有した第２フラップとを備え、全ての前記折り部を谷折りして四角柱状に組み立てられた本体部は、第１フラップが第１上面部と第１支持緩衝部との間に挿入され、第１フラップの切り欠きと第１支持緩衝部の切り欠きとが重なった状態に維持され、第２フラップが第２上面部と第２支持緩衝部との間に挿入され、第２フラップの切り欠きと第２支持緩衝部の切り欠きとが重なった状態に維持されることが好ましい。
【００１０】
ここで、梱包部材の取り扱いを容易にする観点からは、第４上面部の折り部のない両辺と第５上面部の折り部のない両辺とに切り欠きを形成することが好ましい。
【００１１】
また、外力に強いという観点からは、第２底面部の一方の短辺側に折り部を介して接続された第８側面部と、第８側面部の第２底面部とは反対側の辺に折り部を介して接続された第３フラップと、第３上面部の第８側面部とは反対側の短辺に折り部を介して接続された第９側面部と、第９側面部の第３上面部とは反対側の辺に折り部を介して接続された第４フラップと、第４側面部の両短辺側及び第５側面部の両短辺側に折り部を介して接続された第５〜第８フラップとを備え、全ての前記折り部を谷折りして四角柱状に組み立てられた本体部は、第３フラップが第３上面部の内側に挿入され、第４フラップが第２底面部の内側に挿入されることが好ましい。
【００１２】
ここで、梱包部材の取り扱いを容易にする観点からは、第２底面部の第８側面部とは反対側の短辺及び第３上面部の第９側面部とは反対側の短辺に切り欠きを形成することが好ましい。
【発明の効果】
【００１３】
本発明によると、従来蓋（外箱）と底箱と緩衝材とから構成されていた梱包部材を、１部品で構成することにより、生産時の工程数が削減できる。また部品点数が減るので歩留まりが向上する。これらの結果、コストを削減できる。
【００１４】
また、第１側面部の両短辺側及び第３側面部の両短辺側に折り部を介して突片を形成することにより、突片を折り曲げることによって被梱包物の端部を受け止めることができるので、被梱包物を安定して収容することができる。
【００１５】
また、第１フラップが第１上面部と第１支持緩衝部との間に挿入され、第１フラップの切り欠きと第１支持緩衝部の切り欠きとが重なった状態に維持され、第２フラップが第２上面部と第２支持緩衝部との間に挿入され、第２フラップの切り欠きと第２支持緩衝部の切り欠きとが重なった状態に維持されることにより、被梱包物を更に安定して収容することができる。
【００１６】
また、第４上面部の折り部のない両辺と第５上面部の折り部のない両辺とに切り欠きを形成することにより、梱包部材の取り扱いや解体が容易になり、被梱包物を容易に取り出すことができる。
【００１７】
また、第３フラップが第３上面部の内側に挿入され、第４フラップが第２底面部の内側に挿入されることにより、外力に強い梱包部材を得ることができる。
【００１８】
また、第２底面部の第８側面部とは反対側の短辺及び第３上面部の第９側面部とは反対側の短辺に切り欠きを形成することにより、梱包部材の取り扱いや解体が容易になり、被梱包物を容易に取り出すことができる。
【発明を実施するための最良の形態】
【００１９】
以下、本発明の梱包部材について図に基づいて説明するが、本発明はこれらの実施形態に何ら限定されるものではない。
【００２０】
〈第１実施形態〉
図１は、第１実施形態の梱包部材を示す展開図である。図１の梱包部材は、長方形状の底面部（第１底面部）１１の両長辺側に、谷折り部５０，５１を介して側面部（第１側面部）１２と側面部（第２側面部）１３がそれぞれ接続されている。側面部１３は底面部１１よりも長手方向に短い。側面部１２の底面部とは反対側の長辺には、長手方向に離隔対向して谷折り部５２，５３を介して上面部（第１上面部）１５と上面部（第２上面部）１６とが接続されている。そして、側面部（第３側面部）１４が、上面部１５の側面部１２とは反対側の辺に谷折り部５４を介して接続されるとともに、上面部１６の側面部１２とは反対側の辺に谷折り部５５を介して接続されている。側面部１２の両短辺側及び側面部１４の両短辺側に谷折り部５８〜６１を介してそれぞれ突片１９ａ〜１９ｄが形成されている。突片１９ａ〜１９ｄは被梱包物の端部を受け止めるものであり、これら突片１９ａ〜１９ｄは必ずしも必要ではない。
【００２１】
また、側面部１２，１４が対向するそれぞれの長辺側であって、上面部１５，１６の間に隔離対向して長方形状の突部１２ａ，１２ｂ，１４ａ、１４ｂが形成されている。また、梱包部材を組み立てたときに突部１４ａ，１４ｂと重なるように、側面部１３に突部１３ａ，１３ｂが形成されている。これら突部１２ａ，１２ｂ，１３ａ，１３ｂ，１４ａ、１４ｂは被梱包物の側面を支持する。
【００２２】
一方、側面部１３の両短辺側には、谷折り部５６，５７を介して支持緩衝部（第１支持緩衝部）１７と支持緩衝部（第２支持緩衝部）１８がそれぞれ接続されている。この支持緩衝部１７，１８には、被梱包物を支持する切り欠き１７ａ，１８ａがそれぞれ形成されている。切り欠き１７ａ，１８ａは被梱包物を支持できればその形状には特に限定はなく、図１に示すような四角形状の他に半円形状などとすることができる。
【００２３】
また、側面部１４の上面部１５，１６とは反対側の長辺には、谷折り部６８を介して底面部（第２底面部）２６が接続されている。底面部２６の側面部１４とは反対側の長辺には、谷折り部６９を介して側面部（第４側面部）２７が接続されている。側面部２７の底面部２６とは反対側の長辺には、谷折り部７０を介して上面部（第３上面部）２８が接続されている。上面部２８の側面部２７とは反対側の長辺には、谷折り部７１を介して側面部（第５側面部）２９が接続されている。
【００２４】
更に、底面部２６の一方の短辺側には、谷折り部７２を介して側面部（第８側面部）３０が接続されている。側面部３０の底面部２６とは反対側の辺には、谷折り部７３を介してフラップ（第３フラップ）３１が接続されている。上面部２８の側面部３０とは反対側の短辺には、谷折り部７４を介して側面部（第９側面部）３２が接続されている。側面部３２の上面部２８とは反対側の辺には、谷折り部７５を介してフラップ（第４フラップ）３３が接続されている。側面部２７の両短辺側及び側面部２９の両短辺側には、谷折り部７６〜７９を介してフラップ（第５〜第８フラップ）３４〜３７が接続されている。
【００２５】
底面部２６の側面部３０とは反対側の短辺及び上面部２８の側面部３２とは反対側の短辺には、切り欠き２６ａ，２８ａがそれぞれ形成されている。切り欠き２６ａ，２８ａは、梱包部材を開封するときにフラップ３３，３１に指を掛けることができればその形状には特に限定はなく、図１に示すような半円形状の他に四角形状などとすることができる。
【００２６】
なお図１において、側面部３０，３２、フラップ３４〜３７、切り欠き２６ａ，２８ａは、梱包部材の側面を蓋できればどこに形成してもよい。例えば、側面部３０をフラップ３５や切り欠き２８ａやフラップ３７の位置に形成することができる。その際、フラップ３５や切り欠き２８ａやフラップ３７も適切な位置に形成する。同様に、側面部３２もフラップ３４や切り欠き２６ａやフラップ３６の位置に形成することができる。
【００２７】
本発明で使用する板状の材料としては、人力によって容易に折り曲げることが可能なものであれば特に限定はないが、中でも段ボールが好適に使用できる。また図１に示される梱包部材は例えば板状の段ボールを打ち抜き加工することによって作製できる。このとき各折り部にはミシン目あるいは細溝を形成しておけば組立てが容易にとなる。
【００２８】
次に、本発明の梱包部材の組み立てについて説明する。図１の展開図においてまず、谷折り部５６，５７によって支持緩衝部１７，１８を略９０°に折り曲げる。次に谷折り部５１によって側面部１３を、谷折り部５０によって側面部１２をそれぞれ略９０°に折り曲げる。そして谷折り部５２，５３によって上面部１５，１６を、谷折り部５４，５５によって側面部１４をそれぞれ略９０°に折り曲げるとともに、側面部１４を側面部１３の外側に重ねる。これによって、突部１３ａ，１３ｂに突部１４ａ，１４ｂが重なり、底箱と緩衝材になる部分が組み立てた状態で維持される。このとき、折り曲げられた状態の支持緩衝部１７が上面部１５によって維持され、折り曲げられた状態の支持緩衝部１８が上面部１６によって維持される。次に谷折り部５８〜６１によって突片１９ａ〜１９ｄを、谷折り部６８によって底面部２６を略９０°に折り曲げる（図２参照）。
【００２９】
ここで、被梱包物を収納する。組み立てられた本体部１０内に、被梱包物（図ではローラ４０）が収容されている状態を図３に示す。収容状態ではローラ４０の軸４１，４２が切り欠き１７ａ，１８ａによって支持されローラ４０が浮いた状態で収容される。このように、支持緩衝部１７，１８は、ローラ４０を支持するとともに緩衝材の役割も果たす。また、輸送中にローラ４０が長手方向に移動した場合はローラ４０の軸４１，４２の端部が突片１９ａ〜１９ｄで受けられる。
【００３０】
続いて、外箱（蓋）となる部分を組み立てる。それには谷折り部６９によって側面部２７を、谷折り部７０によって上面部２８を、谷折り部７１によって側面部２９をそれぞれ略９０°に折り曲げる。これによって、底面部２６が底面部１１の外側に重なり、側面部２７が側面部１２の外側に重なり、上面部２８が上面部１５，１６の外側に重なり、側面部２９が側面部１４の外側に重なる。そして側面部２９が開かないように固定する。これには例えば、側面部２９と側面部１４とを接着したり、側面部２９から底面部２６に掛けて接着テープを貼り付けたりすることができる。
【００３１】
そして、谷折り部７６〜７９によってフラップ３４〜３７を略９０°に折り曲げる。谷折り部７２，７４によって側面部３０，３２を、谷折り部７３，７５によってフラップ３１，３３をそれぞれ略９０°に折り曲げるとともに、フラップ３１を上面部２８の内側に挿入し、フラップ３３を底面部２６の内側に挿入する。これによって、梱包部材の側面が密封され、組み立てが完成する。
【００３２】
本実施形態のように、底箱と緩衝材とを１部品とすることにより、２部品や３部品で構成する場合よりも生産時の工程数が削減できる。また部品点数が減るので歩留まりが向上する。これらの結果、コストを削減できる。また、輸送中に蓋が開きにくく、外力にも強いという利点もある。更に、１部品なので使用後の処分も容易である。
【００３３】
〈第２実施形態〉
図４は、第２実施形態の梱包部材を示す展開図である。図１と同じ部分には同符号を付してその詳細な説明を省略する。底面部１１の両長辺側に、谷折り部６２，６３を介して側面部（第６側面部）２０と側面部（第７側面部）２１がそれぞれ接続されている。側面部２０の底面部１１とは反対側には、谷折り部６４を介して上面部（第４上面部）２２が接続され、側面部２１の底面部１１とは反対側には、谷折り部６５を介して上面部（第５上面部）２３が接続されている。側面部２０，２１及び上面部２２，２３の折り部のない辺には、切り欠き２０ａ，２０ｂ，２１ａ，２１ｂ，２２ａ，２２ｂ，２３ａ，２３ｂがそれぞれ形成されている。切り欠き２０ａ，２０ｂ，２１ａ，２１ｂ，２２ａ，２２ｂ，２３ａ，２３ｂは指で摘めればその形状には特に限定はなく、図４に示すような半円形状の他に四角形状などとすることができる。
【００３４】
上面部２２の側面部２０とは反対側には、谷折り部６６を介してフラップ（第１フラップ）２４が接続され、上面部２３の側面部２１とは反対側には、谷折り部６７を介してフラップ（第２フラップ）２５が接続されている。フラップ２４，２５には被梱包物を支持する切り欠き２４ａ，２５ａがそれぞれ形成されている。切り欠き２４ａ，２５ａは被梱包物を支持できればその形状には特に限定はなく、図４に示すような四角形状の他に半円形状などとすることができる。
【００３５】
次に、本発明の梱包部材の組み立てについて説明する。図４の展開図においてまず、底箱となる部分の組み立てまでは第１実施形態と同様に組み立てる。そして被梱包物（図５ではローラ４０）を収納した後、谷折り部６２，６３によって側面部２０，２１を略９０°に折り曲げる。そして谷折り部６４，６５によって上面部２２，２３を、谷折り部６６，６７によってフラップ２４，２５をそれぞれ略９０°に折り曲げるとともに、フラップ２４を上面部１５と支持緩衝部１７の間に差し込み、同様にフラップ２５を上面部１６と支持緩衝部１８の間に差し込む。これによって、フラップ２４の切り欠き２４ａと支持緩衝部１７の切り欠き１７ａとが重なった状態に維持され、同様にフラップ２５の切り欠き２５ａと支持緩衝部１８の切り欠き１８ａとが重なった状態に維持される（図５参照）。ローラ４０の一方の軸４１が切り欠き２４ａ，１７ａで挟持され、他方の軸４２が切り欠き２５ａ，１８ａで挟持されるので、第１の実施形態の梱包部材よりも被梱包物を安定して収容できる。その後、外箱（蓋）となる部分を第１実施形態と同様に組み立てて完成する。
【００３６】
次に、本発明の梱包部材からの被梱包物の取り出しについて説明する。まず、フラップ３１，３３を引き出し、側面部２７，２９と上面部２８とを開く。そして切り欠き２２ａ，２２ｂ及び切り欠き２３ａ，２３ｂを指で摘んで上方に引き上げることにより、容易にフラップ２４，２５を外すことができる。これで被梱包物（ローラ４０）を取り出せる状態となる。
【産業上の利用可能性】
【００３７】
本発明の梱包部材は、複写機の帯電器やローラなどの細長い部品をはじめとして、梱包の両端に緩衝材を必要とする部品を収容するのに利用することができる。
【図面の簡単な説明】
【００３８】
【図１】第１実施形態の梱包部材を示す展開図である。
【図２】図１の梱包部材の組立斜視図である。
【図３】図２の梱包部材に被梱包物を収容した斜視図である。
【図４】第２実施形態の梱包部材を示す展開図である。
【図５】図４の梱包部材を組み立てて被梱包物を収容した斜視図である。
【符号の説明】
【００３９】
１０    本体部
１１    底面部（第１底面部）
１２    側面部（第１側面部）
１３    側面部（第２側面部）
１４    側面部（第３側面部）
１５    上面部（第１上面部）
１６    上面部（第２上面部）
１７    支持緩衝部（第１支持緩衝部）
１７ａ，１８ａ，２０ａ，２０ｂ，２１ａ，２１ｂ，２２ａ，２２ｂ，２３ａ，２３ｂ、２４ａ、２５ａ，２６ａ，２８ａ    切り欠き
１８    支持緩衝部（第２支持緩衝部）
１９ａ〜１９ｄ    突片
２０    側面部（第６側面部）
２１    側面部（第７側面部）
２２    上面部（第４上面部）
２３    上面部（第５上面部）
２４    フラップ（第１フラップ）
２５    フラップ（第２フラップ）
２６    底面部（第２底面部）
２７    側面部（第４側面部）
２８    上面部（第３上面部）
２９    側面部（第５側面部）
３０    側面部（第８側面部）
３１    フラップ（第３フラップ）
３２    側面部（第９側面部）
３３    フラップ（第４フラップ）
３４    フラップ（第５フラップ）
３５    フラップ（第６フラップ）
３６    フラップ（第７フラップ）
３７    フラップ（第８フラップ）
４０    ローラ（被梱包物）
５０〜７９    谷折り部（折り部）
【図１】
2006321536.tif 000003
【図２】
2006321536.tif 000004
【図３】
2006321536.tif 000005
【図４】
2006321536.tif 000006
【図５】
2006321536.tif 000007